(57)【要約】【課題】容易にかつ低コストで入手可能である希元素鉱物を主成分として、これに他の有用鉱物を混合させて北投石と同様な各種効能を有する放射性鉱物含有の組成物、及びこの製造方法を提供する。【解決手段】放射線、遠赤外線、マイナスイオンを放出する希元素鉱物（例えばラジウムを含有するユークセン石、タレン石、等）の粉末体と、トルマリン鉱石の粉末体と、及び珪酸ジルコニウムとを、陶磁器粘土と混合させて焼成して構成する。この組成物の製造方法は、放射線、遠赤外線、マイナスイオンを放出する希元素鉱物（例えばラジウムを含有するユークセン石、タレン石、等）の粉末体と、トルマリン鉱石の粉末体とを陶磁器粘土と混練させて焼成した後、これを粉砕した粉砕物と珪酸ジルコニウムとを、陶磁器粘土と共に混練して再焼成させて成る。【選択図】      図１
2004189517.tif 000002
【特許請求の範囲】
【請求項１】
放射線、遠赤外線、マイナスイオンを放出する希元素鉱物の粉末体と、トルマリン鉱石の粉末体と、及び珪酸ジルコニウムとを、陶磁器粘土と混合させて焼成して成ることを特徴とする放射性鉱物含有の組成物。
【請求項２】
希元素鉱物を、ラジウムを含有するユークセン石、及びタレン石としたことを特徴とする請求項１記載の放射性鉱物含有の組成物。
【請求項３】
放射線、遠赤外線、マイナスイオンを放出する希元素鉱物の粉末体と、トルマリン鉱石の粉末体とを陶磁器粘土と混練させて焼成した後、これを粉砕し、この粉砕物と珪酸ジルコニウムとを、陶磁器粘土と共に混練して再焼成させて成ることを特徴とする放射性鉱物含有の組成物の製造方法。
【請求項４】
希元素鉱物を、ラジウムを含有するユークセン石、及びタレン石としたことを特徴とする請求項３記載の放射性鉱物含有の組成物の製造方法。
【発明の詳細な説明】
【０００１】
【発明の属する技術分野】
本願発明は、放射線、遠赤外線、マイナスイオンを放出する希元素鉱物の鉱石類にその他の有用鉱物を混合させて、人体に有益な効用を供する放射性鉱物含有の組成物、及びこの製造方法に関する。
【０００２】
【発明の背景】
天然の放射線、遠赤外線、マイナスイオンを放出する希元素鉱物（以下、「放射性鉱物」と称する。）は、ラジウム（Ｒａ）等に崩壊（壊変）して、人体に対して健康回復増進や、病気に対する免疫力を高める効果を有すると言われている。特に、ラジウム（Ｒａ）は、α（アルファ）線・β（ベータ）線・γ（ガンマ）線を半永久（半減期１，６００年と言われている）に放出する微量放射性物質であり、法律で定める限度の放射能濃度７４ベクレル／ｇ（固体状の核原料にあっては、３７０ベクレル／ｇ）以内であれば、人体へ悪影響を及ぼすことなく、かえって人体に有益な効果を及ぼすと言われている。
【０００３】
すなわち、まだ学会で広く受け入れられているというわけではないが、「多量の放射線は人体に有害であるが、適量の放射線の場合は、放射線によりおこると考えられている反応とは全く別の刺激的な反応がおこる。」という微量放射線による「ホルミシス効果」が期待でき、その結果、生命活動を刺激・活性化して自然治癒力、新陳代謝を高めて病気を治し、若々しい体を保つと言われている。
【０００４】
そして、ラジウムは別名をイオン石とも呼ばれ、分子の分解・イオン化（電離作用）を促し、分裂結合しやすい状態を作り出す。また、水・空気・土・生物をより自然に戻そうとする働きが他の鉱石よりも格段に優れている。
【０００５】
【従来の技術】
上記のように放射性鉱物が人体に何らかの有益な作用を及ぼすことは広く知られている。その利用方法としては浴槽内に放射性鉱物を配置して、いわゆるラジウム温泉（玉川温泉や増富温泉等で有名）としての利用形態があった。また、室内を無水温室化して放射性鉱物などを敷き詰めたいわゆる温熱ベッドを形成し、これに入浴者が横臥してその恩恵に浴すると言う利用形態もあった。
【０００６】
なお、従来より上記した放射性鉱物と同様の効能を有する放射線源材料および放射線原体の製造方法はあり、空気・水の浄化、改質、健康増進等のそれぞれの目的に応じて広く利用されている。（例えば、特許文献１参照。）。
【０００７】
ところで、これらの放射性鉱物で特に医療効能や人体に対する効能が優れているものとして広く知られているものに北投石がある。この北投石とは、ラドンやラジウム、鉛、カルシウムなどを含む重晶石（硫酸バリウム）のバリウムの一部が、鉛に置換された化学組成（Ｂａ，Ｐｂ）ＳＯ４（Ｂａ：Ｐｂ≒４：１）である。
【０００８】
【特許文献１】
特開平１１−２８７８９９
【０００９】
【発明が解決しようとする課題】
しかし、上記の北投石は、ラドンやラジウムなどの温泉に含まれる鉱物成分が年０．０５〜０．１ｍｍほどの速度で成長した特有の鉱物であり、これらの成長速度や他の特殊な条件により世界中でも台湾の「北投温泉」、秋田県の「玉川温泉」、「川原毛硫黄鉱山」でしか発見されていない。そのため、北投石は両国において特別天然記念物に指定されており、一部承認された僅かな量以外は販売されていない希少価値を有している。このため高価であると共に、特定の医療分野や大衆浴場などに利用範囲が限られているものであった。
【００１０】
【目的】
そこで、本願発明は、上記課題に着目し為されたものであり、容易にかつ低コストで入手可能である希元素鉱物を主成分として、これに他の有用鉱物を混合させて北投石と同様な各種効能を有する放射性鉱物含有の組成物、及びこの製造方法を提供するものである。
【００１１】
【課題を解決するための手段】
上記目的を達成するために、本願発明の放射性鉱物含有の組成物は以下のように構成される。
すなわち、放射線、遠赤外線、マイナスイオンを放出する希元素鉱物（例えばラジウムを含有するユークセン石、タレン石、等）の粉末体と、トルマリン鉱石の粉末体と、及び珪酸ジルコニウムとを、陶磁器粘土と混合させて焼成して成ることを特徴としている。
【００１２】
次に、本願発明にかかる放射性鉱物含有の組成物の製造方法は以下のような方法で行う。
すなわち、放射線、遠赤外線、マイナスイオンを放出する希元素鉱物（例えばラジウムを含有するユークセン石、タレン石、等）の粉末体と、トルマリン鉱石の粉末体とを陶磁器粘土と混練させて焼成した後、これを粉砕した粉砕物と珪酸ジルコニウムとを、陶磁器粘土と共に混練して再焼成させて成ることを特徴としている。
【００１３】
【発明の実施形態】
次に、本願発明にかかる放射性鉱物含有の組成物、及びこの製造方法の実施例について詳細に説明する。
本願発明にかかる放射性鉱物含有の組成物（以下、「組成物」と略称する。）は、放射線、遠赤外線、マイナスイオンを放出する希元素鉱物の粉末体と、トルマリン鉱石の粉末体と、及び珪酸ジルコニウム（化学組成：ＺｒＳｉＯ４）とを、陶磁器粘土と混合させて成型している。
【００１４】
ここで、本実施例で用いている希元素鉱物は、ユークセン石とタレン石である。ユークセン石とは、化学組成が（Ｙ，Ｃａ，Ｃｅ，Ｕ，Ｔｈ）（Ｎｂ，Ｔａ，Ｔｉ）２Ｏ６であり、イットリウム、ニオブ、チタンなどを主成分とする酸化鉱物である。そして、副成分としてウラン、トリウムが含まれており、α線・β線・γ線を放出している。本実施例のユークセン石は、阿武隈山系で産出される通称「宝名石」を使用している。
【００１５】
タレン石とは、化学組成がＹ３Ｓｉ３Ｏ１０（ＯＨ）であり、イットリウム、ニオブ、タンタルなどの希元素を主成分とする希元素鉱物である。そして、ユークセン石と同様に副成分にはウラン、トリウムが含まれており、α線・β線・γ線を放出している。本実施例のタレン石は、阿武隈山系で産出される通称「南東石」を使用している。
【００１６】
また、トルマリン鉱石は通称電気石と呼ばれており、その化学組成は（Ｃａ，Ｋ，Ｎａ）（Ａｌ，Ｆｅ，Ｌｉ，Ｍｇ，Ｍｎ）３（Ａｌ，Ｃｒ，Ｆｅ，Ｖ）６（ＯＨ，Ｆ）４（ＢＯ３）３（Ｓｉ６Ｏ１８）である。
【００１７】
最後に、本実施例の陶磁器粘土は、学名がカオリナイト、化学組成はＡｌ２Ｏ３・２ＳｉＯ２・２Ｈ２Ｏであり、瀬戸地方産出の粘土鉱物である。
【００１８】
次に、本実施例の組成物の製造方法は、図１のフローチャートに基づき説明すると、大きな特徴として２回の焼成工程により行っているものである。
先ず、上記の希元素鉱物であるユークセン石及びタレン石、トルマリン鉱石をそれぞれ粉末体（以下、それぞれ「ユークセン粉末体」、「タレン粉末体」、「トルマリン粉末体」と略称する。）とし、重量比でユークセン粉末体を１０〜３０％、タレン粉末体を５〜１０％、トルマリン粉末体を１０〜２０％の範囲内で適宜に選択し、残りを陶磁器粘土として混練し、その後に焼成温度７５０〜８５０℃で４〜６時間の焼成を行い組成物とする（第１次焼成工程）。
【００１９】
次に、上記組成物を破砕して粉末体（以下、「一次原料粉末体」と称する。）とし、重量比で一次原料粉末体３０〜４０％、珪酸ジルコニウム２０〜３０％の範囲内で適宜に選択し、残りを陶磁器粘土として混練し、その後に焼成温度１３５０〜１４５０℃で８〜１０時間焼成して組成物とする（第２次焼成工程）。
【００２０】
以上の製造方法で組成した組成物は、北投石と放射線の核種とエネルギーで比較すると図２に示す表のように、約７倍強の上昇率があり、その効能が確認されている。
【００２１】
また、本実施例の組成物は、再度粉砕して粉末状にして合成樹脂材、紙、ダンボール、ガラス、陶磁器、コンクリート、ブロック材、レンガ、漆工芸品、土壌改良材、化粧品などのケア用品、家庭用洗剤、塗料、等の原料に混合して使用することも可能である。この場合の粒径は含有方法により区々に設定する。そして、上記の混合原料により製造した各種製品により手軽かつ簡便に放射線、遠赤外線、マイナスイオン等の北投石の効能を享受することが可能となる。さらに、近年はＯＡ機器や携帯電話機器等の電子機器による電磁波障害が問題となっているが、上記の混合原料により生成した構成樹脂材は人体に対する電磁波障害を緩和する効果が報告されており有効なものである。
【００２２】
【効果】
本願発明は上記のように構成しているため、容易にかつ低コストに入手可能な希元素鉱物を主成分として北投石と同等の放射性鉱物含有の組成物を得ることができる。これにより、従来は高価で入手困難であった北投石の効能を低コストに享受することが可能となる。
【００２３】
また、この組成物を粉末状にして合成樹脂材等の他の原料に混合させることも可能であるため、その用途範囲が広がり日常生活において簡便にその効能を享受することが可能である。
【００２４】
なお、これらの各種効能は、人体にあっては、血行促進、新陳代謝の活発化、免疫力強化、細胞の活性化、情緒安定化、鎮静効果、血液浄化、又は温熱効果、等の生理的機能向上であり、物品にあっては、鮮度保持や品質保持、さらには殺菌、防臭、抗菌、電子機器による電磁波の緩和等である。
【図面の簡単な説明】
【図１】本実施例にかかる放射性鉱物含有の組成物の製造方法を表したフローチャートである。
【図２】本実施例にかかる放射性鉱物含有の組成物の核種エネルギーの比較表である。
【図１】
2004189517.tif 000003
【図２】
2004189517.tif 000004